(57)【要約】【課題】温水供給装置のコストを低減しても、積算熱量を求められること。【解決手段】温水供給装置１０は、太陽熱集熱器１１で回収された太陽熱によって熱媒Ｈｍを加熱する第１の熱交換器１３と、加熱された熱媒によって貯湯槽１２中の水Ｗａを加熱する第２の熱交換器１４と、第２及び第１の熱交換器間を接続する供給配管２１及び戻し配管２２と、供給配管に介在した熱媒循環ポンプ２３と、第１の熱交換器へ供給される熱媒の温度Ｔ１を検出する第１の温度検出部３１と、第２の熱交換器へ戻される熱媒の温度Ｔ２を検出する第２の温度検出部３２と、熱交換量判断部３４とを備える。熱交換量判断部は、検出温度Ｔ１と熱媒循環ポンプの回転速度Ｎｐとに基づいて、第１・第２の熱交換器間を循環している熱媒の流量Ｑｈを求め、この流量と検出温度Ｔ１，Ｔ２の温度差とに基づいて、熱交換量Ｈｑを求める。【選択図】図１
2010243047.tif 000002
【特許請求の範囲】
【請求項１】
太陽熱集熱器で回収された太陽熱によって熱媒を加熱し、この熱媒を循環させることにより、貯湯槽の中の水を加熱する温水供給装置において、
前記太陽熱集熱器で回収された太陽熱によって前記熱媒を加熱するように、熱交換をするための第１の熱交換器と、
加熱された前記熱媒によって前記貯湯槽の中の水を加熱するように、熱交換をするための第２の熱交換器と、
前記第２の熱交換器から前記第１の熱交換器へ前記熱媒を供給する供給配管と、
前記第１の熱交換器によって加熱された前記熱媒を前記第２の熱交換器へ戻す戻し配管と、
前記供給配管に介在した熱媒循環ポンプと、
前記第２の熱交換器から前記第１の熱交換器へ供給される前記熱媒の温度を検出する第１の温度検出部と、
前記第１の熱交換器から前記第２の熱交換器へ戻される前記熱媒の温度を検出する第２の温度検出部と、
熱交換量判断部とを備え、
この熱交換量判断部は、前記第１の温度検出部による検出温度と前記熱媒循環ポンプの回転速度とに基づいて、前記第１・第２の熱交換器間を循環している前記熱媒の流量を求め、この流量と前記第１・第２の温度検出部による検出温度の温度差とに基づいて、前記第１・第２の熱交換器による熱交換量を求めるように構成されていることを特徴とした温水供給装置。
【発明の詳細な説明】
【技術分野】
【０００１】
本発明は、太陽熱集熱器を用いた温水供給装置に関する。
【背景技術】
【０００２】
近年、太陽熱を有効利用する技術の開発が進められており、その中に、太陽熱集熱器で回収された太陽熱によって、貯湯槽の中の水を加熱する温水供給装置がある。このような温水供給装置としては、例えば下記の特許文献１に記載された技術が知られている。
【０００３】
この特許文献１で知られている温水供給装置は、太陽熱集熱器によって加熱された温水をポンプで循環して貯湯槽に蓄えるようにし、外部から貯湯槽へ給水するための給水配管と、貯湯槽から外部へ出湯するための出湯配管とを備えたというものである。給水配管には給水温度センサーが取り付けられ、出湯配管には出湯温度センサー及び流量計が取り付けられる。積算熱量計は、給水温度センサーの検出温度、出湯温度センサーの検出温度、及び流量計の検出流量に基づいて、積算熱量を求める。この積算熱量を知ることによって、代替エネルギー量を求めることができる。
【０００４】
ところで、温水供給装置を普及する要請上から、できるだけ低コスト化を図ることが求められている。そのためには、温水供給装置の性能に直接的に寄与していない部品を、削減することが考えられる。中でも、流量計はコストが比較的高い。流量計を配管に取り付けるためのコストもかかる。一方、温水供給装置の利用者にとって、積算熱量を知ることが好ましい。
【先行技術文献】
【特許文献】
【０００５】
【特許文献１】実用新案登録第３１４０７４７号公報
【発明の概要】
【発明が解決しようとする課題】
【０００６】
本発明は、温水供給装置のコストを低減できるとともに、温水供給装置による積算熱量を知ることができる技術を提供することを課題とする。
【課題を解決するための手段】
【０００７】
請求項１に係る発明では、太陽熱集熱器で回収された太陽熱によって熱媒を加熱し、この熱媒を循環させることにより、貯湯槽の中の水を加熱する温水供給装置において、
前記太陽熱集熱器で回収された太陽熱によって前記熱媒を加熱するように、熱交換をするための第１の熱交換器と、加熱された前記熱媒によって前記貯湯槽の中の水を加熱するように、熱交換をするための第２の熱交換器と、前記第２の熱交換器から前記第１の熱交換器へ前記熱媒を供給する供給配管と、前記第１の熱交換器によって加熱された前記熱媒を前記第２の熱交換器へ戻す戻し配管と、前記供給配管に介在した熱媒循環ポンプと、前記第２の熱交換器から前記第１の熱交換器へ供給される前記熱媒の温度を検出する第１の温度検出部と、前記第１の熱交換器から前記第２の熱交換器へ戻される前記熱媒の温度を検出する第２の温度検出部と、熱交換量判断部とを備え、
この熱交換量判断部は、前記第１の温度検出部による検出温度と前記熱媒循環ポンプの回転速度とに基づいて、前記第１・第２の熱交換器間を循環している前記熱媒の流量を求め、この流量と前記第１・第２の温度検出部による検出温度の温度差とに基づいて、前記第１・第２の熱交換器による熱交換量を求めるように構成されていることを特徴とする。
【発明の効果】
【０００８】
請求項１に係る発明では、第２の熱交換器から第１の熱交換器へ供給される熱媒の温度と、第２の熱交換器から第１の熱交換器へ熱媒を供給する熱媒循環ポンプの回転速度とに基づいて、第１・第２の熱交換器間を循環している熱媒の流量を求める。
【０００９】
熱媒循環ポンプの回転速度に応じて、熱媒の基本的な流量は概ね決まる。但し、供給される熱媒の温度に応じて、熱媒の密度や粘度等の物性が多少変動し得る。このため、請求項１では、供給熱量判定部により、熱媒の温度と熱媒循環ポンプの回転速度の両方に基づいて、熱媒の流量を求めることにした。例えば、熱媒の温度と熱媒循環ポンプの回転速度の両方に基づいて熱媒の流量を求めるためのマップを予め設定しておき、流量を求める。このように、熱媒の温度と熱媒循環ポンプの回転速度の両方に基づいて、熱媒の流量を求めるので、比較的正確な流量を的確に且つ迅速に得ることができる。さらに、供給熱量判定部は、得られた流量と、第１・第２の温度検出部による検出温度の温度差とに基づいて、第１・第２の熱交換器による熱交換量を求める。
【００１０】
このように、熱交換量を的確に且つ迅速に得ることができるので、温水供給装置による積算熱量を知ることができる。しかも、別個の流量計を新たに設ける必要はない。従って、温水供給装置のコストを低減することができる。
【図面の簡単な説明】
【００１１】
【図１】本発明に係る温水供給装置の模式図である。
【図２】図１に示された制御部の制御フローチャートである。
【図３】図１に示された制御部の流量判断マップを説明する説明図である。
【発明を実施するための形態】
【００１２】
本発明を実施するための形態を添付図に基づいて以下に説明する。
【実施例】
【００１３】
実施例に係る温水供給装置について説明する。図１に示すように、温水供給装置１０は、太陽熱集熱器１１で回収された太陽熱によって熱媒体Ｈｍ（以下、単に「熱媒Ｈｍ」と言う。）を加熱し、この熱媒Ｈｍを強制的に循環させることにより、貯湯槽１２の中の水Ｗａを加熱するものである。熱媒Ｈｍとしては、例えば不凍液、水、オイルが用いられるが、これに限定されるものではなく、熱を移動させるために使用される流体（液体、気体）であればよい。
【００１４】
詳しく説明すると、温水供給装置１０は、太陽熱集熱器１１と貯湯槽１２と第１の熱交換器１３と第２の熱交換器１４と熱媒循環系１５と制御部１６と表示部１７からなる。
【００１５】
太陽熱集熱器１１は、太陽エネルギーを熱エネルギーに変換するものであり、周知な構成からなる。第１の熱交換器１３は、太陽熱集熱器１１で回収された太陽熱（太陽エネルギーから変換された熱エネルギー）によって熱媒Ｈｍを加熱するように、熱交換をするためのものである。この第１の熱交換器１３は、太陽熱集熱器１１に一体的に構成され、又は別体として太陽熱集熱器１１の近傍に配置されている。
【００１６】
貯湯槽１２は、外部から給水口１２ａへ供給された水Ｗａを内部に貯めるとともに、この水Ｗａを第２の熱交換器１４を介して加熱するものである。加熱された水Ｗａ（温水）は、給湯口１２ｂから外部へ適宜供給される。第２の熱交換器１４は、上記第１の熱交換器１３で加熱された熱媒Ｈｍによって、貯湯槽１２の中の水Ｗａを加熱するように、熱交換をするためのものである。この第２の熱交換器１４は、貯湯槽１２の内部に一体的に構成され、又は別体として貯湯槽１２の近傍に配置されている。
【００１７】
熱媒循環系１５は、熱媒Ｈｍを第１の熱交換器１３と第２の熱交換器１４との間で循環させるための配管であり、供給配管２１と戻し配管２２と熱媒循環ポンプ２３とからなる。
【００１８】
供給配管２１（一次側配管２１）は、第２の熱交換器１４から第１の熱交換器１３へ熱媒Ｈｍを供給するためのパイプであり、配管途中に熱媒循環ポンプ２３が介在している。この供給配管２１は、第２の熱交換器１４の熱媒出口１４ａと第１の熱交換器１３の熱媒入口１３ａとの間に配管されている。熱媒循環ポンプ２３は、熱媒Ｈｍを第２の熱交換器１４から第１の熱交換器１３へ送るものであり、モータ２４によって駆動される。なお、供給配管２１を流れる熱媒Ｈｍの温度Ｔ１は、戻し配管２２を流れる熱媒Ｈｍの温度Ｔ２よりも低温である。このため、熱媒循環ポンプ２３は、耐久性を考慮して、低温側の供給配管２１に設けられている。
【００１９】
戻し配管２２（二次側配管２２）は、第１の熱交換器１３によって加熱された熱媒Ｈｍを第２の熱交換器１４へ戻すためのパイプである。この戻し配管２２は、第１の熱交換器１３の熱媒出口１３ｂと第２の熱交換器１４の熱媒入口１４ｂとの間に配管されている。
【００２０】
以上の構成からなる温水供給装置１０は、次のような作用をなす。
熱媒循環ポンプ２３を駆動することにより、熱媒Ｈｍは第２の熱交換器１４から供給配管２１を通って第１の熱交換器１３へ供給される。今、太陽熱集熱器１１は、太陽エネルギーを回収して熱エネルギーに変換している。この熱エネルギーによって熱媒Ｈｍが加熱されるように、第１の熱交換器１３において熱交換が行われる。第１の熱交換器１３において加熱された熱媒Ｈｍは、戻し配管２２を通って第２の熱交換器１４へ戻される。第２の熱交換器１４では、貯湯槽１２に貯められている水Ｗａが熱媒Ｈｍによって加熱されるように、熱交換が行われる。このように、第１の熱交換器１３と第２の熱交換器１４との間で、熱媒Ｈｍを強制的に循環させることにより、貯湯槽１２内の水Ｗａを加熱することができる。貯湯槽１２内の水Ｗａ（温水）は、給湯口１２ｂから外部に供給される。
【００２１】
ところで、第２の熱交換器１４の熱媒出口１４ａ、第１の熱交換器１３の熱媒入口１３ａ、又は供給配管２１のいずれか１つには、第１の温度検出部３１が取り付けられている。この第１の温度検出部３１は、第２の熱交換器１４から第１の熱交換器１３へ供給される熱媒Ｈｍの温度Ｔ１（供給温度Ｔ１）を検出し、検出信号を発するものである。
【００２２】
また、第１の熱交換器１３の熱媒出口１３ｂ、第２の熱交換器１４の熱媒入口１４ｂ、又は戻し配管２２のいずれか１つには、第２の温度検出部３２が取り付けられている。この第２の温度検出部３２は、第１の熱交換器１３から第２の熱交換器１４へ戻される熱媒Ｈｍの温度Ｔ２（戻り温度Ｔ２）を検出し、検出信号を発するものである。
【００２３】
制御部１６は、貯湯槽１２の中の水Ｗａの温度を所定の温度に制御するものである。この制御部１６は、例えば、第１の温度検出部３１、第２の温度検出部３２及び回転速度検出部３３から検出信号を受け、モータ２４を駆動制御することによって熱媒循環ポンプ２３の回転速度Ｎｐを制御する構成を有している。
【００２４】
回転速度検出部３３は、熱媒循環ポンプ２３の回転速度Ｎｐを検出して検出信号を発するものである。本実施例においては、モータ２４のモータ軸に熱媒循環ポンプ２３の回転軸がカップリングによって直結された構成である。このため、熱媒循環ポンプ２３の回転速度Ｎｐは、モータ２４の回転速度Ｎｍと同一である。なお、熱媒循環ポンプ２３の回転軸は、モータ軸に直結する構成に限定されるものではなく、例えばベルトによる連結であってもよい。
【００２５】
さらに、制御部１６は、熱交換量判断部３４を備えている。この熱交換量判断部３４の詳細については後述する。
表示部１７は、制御部１６の表示指令に基づいて積算熱量を表示するものである。
【００２６】
次に、制御部１６（図１参照）をマイクロコンピュータとした場合の制御フローについて、図１を参照しつつ、図２に基づき説明する。図２は、制御部１６によって実行される熱交換量判断の一例を示す制御フローチャートを示している。
【００２７】
制御部１６は、図示せぬメインスイッチがオン操作されることによって実行を開始し、先ず、第１の温度検出部３１によって検出された熱媒Ｈｍの温度Ｔ１（℃）、つまり供給温度Ｔ１を読み込む（ステップＳ０１）。
次に、第２の温度検出部３２によって検出された熱媒Ｈｍの温度Ｔ２（℃）、つまり戻り温度Ｔ２を読み込む（ステップＳ０２）。
次に、回転速度検出部３３によって検出された、熱媒循環ポンプ２３の回転速度Ｎｐ（ｍ／ｓｅｃ）を読み込む（ステップＳ０３）。
【００２８】
次に、供給温度Ｔ１と熱媒循環ポンプ２３の回転速度Ｎｐとに基づいて、第１・第２の熱交換器１２，１３間を循環している熱媒Ｈｍの流量Ｑｈ（ｍ３／ｓｅｃ）を求める（ステップＳ０４）。ここで、熱媒循環ポンプ２３が供給配管２１に設けられているので、これに合わせて、供給温度Ｔ１に基づいて流量Ｑｈを求めることにした。流量Ｑｈを求めるには、例えば図３に示す流量判断マップを用いる。この流量判断マップについては、予め実験データや経験データ等を加味して、設定される。
【００２９】
図３は流量判断マップの概念を示している。この流量判断マップは、複数の特性線ｑ１〜ｑ１０の集合からなり、横軸を熱媒循環ポンプ２３の回転速度Ｎｐとし、縦軸を熱媒Ｈｍの流量Ｑｈとし、回転速度Ｎｐに基づいて流量Ｑｈを求める特性を有している。
【００３０】
この場合において、複数の特性線ｑ１〜ｑ１０の中から供給温度Ｔ１に応じた１つが選択される。各々の特性線ｑ１〜ｑ１０の特性は、供給温度Ｔ１の値の大きさに応じて互いに相違するように、予め設定されている。これら特性線ｑ１〜ｑ１０の特性は、段階的に異なる。例えば、供給温度Ｔ１が最も低温の場合には第１の特性線ｑ１が選択され、供給温度Ｔ１が最も高温の場合には第１０の特性線ｑ１０が選択される。つまり、供給温度Ｔ１が高温になるにつれて、回転速度Ｎｐに対する流量Ｑｈが多くなる特性の特性線が選択される。
【００３１】
このように、複数の特性線ｑ１〜ｑ１０を準備した理由は、熱媒Ｈｍの温度Ｔ１が異なれば、熱媒Ｈｍの粘度等の物性が異なるので、第１・第２の熱交換器１３、１４間の熱媒循環系１５を流れる熱媒Ｈｍの圧力損失が異なる。このため、回転速度Ｎｐが同一であっても、媒循環系１５を流れる熱媒Ｈｍの流量Ｑｈの値が異なるからである。本実施例においては、供給温度Ｔ１の変動に対応させた複数の特性線ｑ１〜ｑ１０を準備してあるので、よりきめ細かく正確な流量Ｑｈを求めることができる。
【００３２】
一例を挙げると、供給温度Ｔ１が最も低温の場合には第１の特性線ｑ１が選択されるので、回転速度Ｎｐの値がＮ１であるときの、流量Ｑｈの値はＱ１である。一方、供給温度Ｔ１が最も高温の場合には第１０の特性線ｑ１０が選択されるので、回転速度Ｎｐの値がＮ１であるときの、流量Ｑｈの値はＱ１０である。
【００３３】
次に、図２に示すステップＳ０５において、供給温度Ｔ１と戻り温度Ｔ２との温度差ΔＴと、流量Ｑｈとに基づいて、第１・第２の熱交換器１２，１３による熱交換量Ｈｑを求める。熱媒Ｈｍが第１の熱交換器１３によって加熱されるので、加熱された後の戻り温度Ｔ２は、加熱される前の供給温度Ｔ１よりも高温である（Ｔ２＞Ｔ１）。温度差ΔＴは、式「ΔＴ＝Ｔ２−Ｔ１」によって求められる。
【００３４】
熱交換量Ｈｑ、つまり単位時間当たりの熱交換量Ｈｑ（ｋｃａｌ／ｓｅｃ）については、例えば、次の一般式（１）を用いて、演算することによって求めることができる。但し、ρは熱媒Ｈｍの密度（ｋｇ／ｍ３）、Ｃｐは熱媒Ｈｍの比熱（ｋｃａｌ／ｋｇ・℃）である。
Ｈｑ＝ΔＴ・Ｑｈ・ρ・Ｃｐ        ・・・（１）
【００３５】
次に、熱交換量Ｈｑに基づいて積算熱量Ｈｔ（ｋｃａｌ）を求める（ステップＳ０６）。ここで、積算熱量Ｈｔとは、利用者が設定した任意の時点（例えば、図示せぬリセットスイッチをリセット操作した時点）から現時点までの、熱交換量Ｈｑの累積値のことである。
【００３６】
このステップＳ０６においては、さらに、積算熱量Ｈｔの値に所定の換算係数Ｋｉを乗算することによって、所定のエネルギー量に換算してもよい。例えば、換算係数Ｋｉ＝４．１８６×１０３（Ｊ／ｋｃａｌ）とした場合には、積算熱量Ｈｔ（ｋｃａｌ）を積算熱量Ｈｔ（Ｊ）に換算することができる。また、換算係数Ｋｉ＝１．１６３−３（ｋｗ・ｈ／ｋｃａｌ）とした場合には、積算熱量Ｈｔ（ｋｃａｌ）を積算熱量Ｈｔ（ｋｗ・ｈ）に換算することができる。
【００３７】
次に、積算熱量Ｈｔの値を表示部１７に表示させる（ステップＳ０７）。温水供給装置１０の利用者は、表示部１７を目視することによって、積算熱量Ｈｔの値を知ることができる。
【００３８】
次に、温水供給装置１０の運転が終了したか否か、つまり、図示せぬメインスイッチがオフであるか否かを判断する（ステップＳ０８）。ステップＳ０７において、運転が継続されていると判断した場合にはステップＳ０１に戻って制御を続行し、終了したと判断した場合には、この制御フローによる制御を終了する。
【００３９】
ここで、ステップＳ０１〜Ｓ０８を集合した構成は、熱交換量判断部３４を構成している。
【００４０】
以上の説明をまとめると、次の通りである（図１参照）。
本実施例では、第２の熱交換器１４から第１の熱交換器１３へ供給される熱媒Ｈｍの温度Ｔ１と、第２の熱交換器１４から第１の熱交換器１３へ熱媒Ｈｍを供給する熱媒循環ポンプ２３の回転速度Ｎｐとに基づいて、第１・第２の熱交換器１３，１４間を循環している熱媒Ｈｍの流量Ｑｈを求める。
【００４１】
熱媒循環ポンプ２３の回転速度Ｎｐに応じて、熱媒Ｈｍの基本的な流量Ｑｈは概ね決まる。但し、供給される熱媒Ｈｍの温度Ｔ１に応じて、熱媒Ｈｍの密度や粘度等の物性が多少変動し得る。このため、本実施例では、熱交換量判断部３４により、熱媒Ｈｍの温度Ｔ１と熱媒循環ポンプ２３の回転速度Ｎｐの両方に基づいて、熱媒Ｈｍの流量Ｑｈを求めることにした。例えば、熱媒Ｈｍの温度Ｔ１と熱媒循環ポンプ２３の回転速度Ｎｐの両方に基づいて熱媒Ｈｍの流量Ｑｈを求めるための流量判断マップ（図３参照）を予め設定しておき、流量Ｑｈを求める。このように、熱媒Ｈｍの温度Ｔ１と熱媒循環ポンプ２３の回転速度Ｎｐの両方に基づいて、熱媒Ｈｍの流量Ｑｈを求めるので、比較的正確な流量Ｑｈを的確に且つ迅速に得ることができる。さらに、熱交換量判断部３４は、得られた流量Ｑｈと、第１・第２の温度検出部３１，３２による検出温度Ｔ１，Ｔ２の温度差ΔＴとに基づいて、第１・第２の熱交換器１３，１４による熱交換量Ｈｑを求める。
【００４２】
このように、熱交換量Ｈｑを的確に且つ迅速に得ることができるので、温水供給装置１０による積算熱量Ｈｔを知ることができる。しかも、別個の流量計を新たに設ける必要はない。従って、温水供給装置１０のコストを低減することができる。
【００４３】
なお、本発明では、熱媒循環ポンプ２３の回転速度Ｎｐについては、直接的にまたは間接的に求める構成であればよく、回転速度検出部３３によって求める構成に限定されるものではない。
【００４４】
例えば、モータ２４を直流ブラシレスモータによって構成し、この直流ブラシレスモータにレゾルバ等の回転センサを内蔵した構成とすることができる。この回転センサは、モータ２４におけるロータの回転角を検出する。この回転センサの検出信号に基づいて、熱媒循環ポンプ２３の回転速度Ｎｐを求めることができる。
【００４５】
また、モータ２４を、直流ブラシレスモータや誘導モータによって構成した場合には、制御部１６によってモータ２４を駆動する駆動電流の周波数に基づいて、熱媒循環ポンプ２３の回転速度Ｎｐを求めることができる。例えば、直流ブラシレスモータの場合には、次の一般式（２）によって、モータの回転速度Ｎｍを求めることができる。但し、ｆは駆動電流の周波数、ｐはモータ２４の極数である。
Ｎｍ＝１２０ｆ／ｐ        ・・・（２）
【００４６】
誘導モータの場合には、上記（２）式に「すべり定数ｓ（すべりｓ）」を加味することにより、次の一般式（３）によって、モータの回転速度Ｎｍを求めることができる。
Ｎｍ＝（１２０ｆ／ｐ）・（１−ｓ）        ・・・（３）
【００４７】
なお、厳密には、「すべり定数ｓ」は熱媒循環ポンプ２３の負荷となる熱媒Ｈｍの種類や濃度、熱媒循環ポンプ２３の回転速度Ｎｐ等によって変化する。これに対し、この変化分を、上記図３に示す流量判断マップの内容に予め加味することによって、変化分に対応することができる。
【００４８】
また、モータ２４を、直流モータによって構成した場合には、制御部１６によってモータ２４を駆動する駆動電圧に基づいて、熱媒循環ポンプ２３の回転速度Ｎｐを求めることができる。直流モータの場合には、モータを駆動する駆動電圧Ｅに対して、モータの回転速度Ｎｍは比例関係にあり、次の一般式（４）によって、モータの回転速度Ｎｍを求めることができる。但し、Ｐｗはモータ出力、Ｔｍはモータトルク、Ｉはモータ駆動電流である。
Ｎｍ＝（６０／２π）・（Ｐｗ／Ｔｍ）
＝（６０／２π）・（Ｉ・Ｅ／Ｔｍ）・・・（４）
【００４９】
また、熱媒循環ポンプ２３を駆動するための駆動源をモータ２４の代わりにエンジンによって構成することができる。その場合には、エンジンの回転速度に基づいて、熱媒循環ポンプ２３の回転速度Ｎｐを求めればよい。
【産業上の利用可能性】
【００５０】
本発明の温水供給装置１０は、一般家屋や工場に採用するのに好適である。
【符号の説明】
【００５１】
１０…温水供給装置、１１…太陽熱集熱器、１２…貯湯槽、１３…第１の熱交換器、１４…第２の熱交換器、２１…供給配管、２２…戻し配管、２３…熱媒循環ポンプ、２４…モータ、３１…第１の温度検出部、３２…第２の温度検出部、３３…回転速度検出部、３４…熱交換量判断部、Ｈｍ…熱媒、Ｈｑ…熱交換量、Ｎｐ…熱媒循環ポンプの回転速度、Ｑｈ…流量、Ｔ１…第１の温度検出部による検出温度、Ｔ２…第２の温度検出部による検出温度、Ｗａ…水、ΔＴ…温度差。
【図１】
2010243047.tif 000003
【図２】
2010243047.tif 000004
【図３】
2010243047.tif 000005